(57)【要約】【課題】使用者が香料を含んだ材料を着脱する必要のない香り付き容器を提供する。【解決手段】樹脂製容器１００は、底部１１０、胴部１２０、および口部１３０を有する。胴部１２０は、中空であり、底部１１０の周縁上に配置されている。口部１３０は、胴部１２０の開放端に沿って配置されている。底部１１０、胴部１２０、および口部１３０の全体または口部１３０には、香料が含まれている。【選択図】図２
0003213330.tif 000002
【実用新案登録請求の範囲】
【請求項１】
底部と、当該底部の周縁上に配置された中空の胴部と、当該胴部の開放端に沿って配置された口部と、とを有する樹脂製容器であって、
前記底部、前記胴部、および前記口部の全体または前記口部に香料を含む、樹脂製容器。
【請求項２】
前記底部、前記胴部、および前記口部の全体または前記口部は、
前記香料を含む溶媒が樹脂に練り込まれて成形されている、請求項１に記載の樹脂製容器。
【請求項３】
前記底部、前記胴部、および前記口部の全体または前記口部には、
前記香料が付加されている、請求項１に記載の樹脂製容器。
【請求項４】
前記胴部の少なくとも一部と前記底部とを収容する外部容器をさらに備える、請求項１〜３のいずれか１項に記載の樹脂製容器。
【請求項５】
飲料用のカップである、請求項１〜４のいずれか１項に記載の樹脂製容器。
【請求項６】
前記香料は、食品の香り成分を含む、請求項１〜５のいずれか１項に記載の樹脂製容器。
【考案の詳細な説明】
【技術分野】
【０００１】
本考案は、樹脂製容器に関する。
【背景技術】
【０００２】
近年、健康増進を目的として香りを利用する技術の開発が盛んである。香木や香水などの香りは、古くから日常生活に広く利用されてきた。現代では、ハーブや花などの香りに癒し効果があるとして、香りの利用が再び注目されている。
【０００３】
これに関連して、特許文献１には、アロマテラピー効果を有する香料を含んだ材料を飲食品の容器の外側に装着することが開示されている。特許文献１では、使用者の喫食時に、香気成分が容器外側から揮散して、内容物である飲食品本来の風味を損なうことなく、アロマテラピー効果を発揮するとしている。
【先行技術文献】
【特許文献】
【０００４】
【特許文献１】特開２０００−３００１８９号公報
【考案の概要】
【考案が解決しようとする課題】
【０００５】
しかし、特許文献１では、使用者が使用前に香料を含んだ材料を容器に装着しなければならないため、使用者が煩わしく思うおそれがある。また、シールなどを使用して、香料を含んだ材料を容器に装着する場合、容器の洗浄などのために、使用者が喫食後にシールを剥がして材料を除去する必要もあり、使用者に負担を強いるという問題もある。
【０００６】
本考案は、上記従来技術に伴う課題を解決するためになされたものであり、使用者が香料を含んだ材料を着脱する必要のない香り付き容器を提供することを目的とする。
【課題を解決するための手段】
【０００７】
上記目的を達成するための本考案は、底部、胴部、および口部を有する樹脂製容器である。胴部は、中空であり、底部の周縁上に配置されている。口部は、胴部の開放端に沿って配置されている。底部、胴部、および口部の全体または口部には、香料が含まれている。
【考案の効果】
【０００８】
本考案によれば、樹脂製容器の底部、胴部、および口部の全体または口部に香料が含まれているので、使用者が香料を含んだ材料を容器に着脱する必要がない。また、糖尿病の患者など糖質の摂取を制限する必要のある人や、ダイエットをしている人などが本考案の樹脂製容器を使用して水を飲むことにより、糖質の摂取を控えつつ、甘いジュースを飲んだときに匹敵する満足感を得ることができる。
【図面の簡単な説明】
【０００９】
【図１】本考案の一実施形態に係る樹脂製カップの斜視図である。
【図２】図１に示す樹脂製カップをＡ−Ａ線に沿って切断した断面図である。
【図３】図１に示す樹脂製カップをＢ方向から見た図である。
【図４】本考案の一実施形態に係る樹脂製カップの一変形例を示す断面図である。
【考案を実施するための形態】
【００１０】
本考案に係る樹脂製容器は、使用者が飲食する際に樹脂製容器自体に含まれる香料が放出されることにより、使用者が飲食しながら香りを感じることができる香り付き容器である。
【００１１】
以下、本考案の実施形態を図面を参照しつつ説明する。なお、図中、同一の部材には同一の符号を用いた。また、図面の寸法比率は、説明の都合上誇張されており、実際の比率とは異なる場合がある。
【００１２】
（一実施形態）
図１は本考案の一実施形態に係る樹脂製カップの斜視図であり、図２は図１に示す樹脂製カップをＡ−Ａ線に沿って切断した断面図である。また、図３は、図１に示す樹脂製カップをＢ方向から見た図である。
【００１３】
図１に示すように、本実施形態の樹脂製カップ（以下、単に「カップ」とも書く）１００は、底部１１０、胴部１２０、および口部１３０を有する飲料用のカップである。
【００１４】
図２および図３に示すように、底部１１０は、たとえば円盤状を呈する。本実施形態では、底部１１０の直径ｄ１は、たとえば５５ｍｍ程度に設定されうる。
【００１５】
胴部１２０は、中空であり、一方の端の内径ｄ２が他方の端の内径ｄ３よりも小さい円筒状または円錐状を呈する。胴部１２０は、底部１１０の周縁上に、上記一方の端が底部１１０の周縁と接するように配置されている。胴部１２０は、使用者がカップ１００を持ち上げたり、運んだりする際に把持する部分である。なお、胴部１２０には、さらに把手（取っ手）が設けられていてもよい。
【００１６】
本実施形態では、たとえば、上記一方の端の内径ｄ２は、５０ｍｍ程度であり、上記他方の端の内径ｄ３は、８５ｍｍ程度に設定されうる。また、胴部１２０の厚みは、１〜３ｍｍ程度に設定されることが好ましく、たとえば２．５ｍｍに設定されうる。
【００１７】
口部１３０は、胴部１２０の他方の端（開放端）に沿って環状に配置されている。口部１３０は、使用者が飲み物を飲むとき、唇が接触する部分である。
【００１８】
口部１３０の内径は、胴部１２０の開放端の内径ｄ３と同じ大きさでありうる。本実施形態では、口部１３０の厚みｔは、５〜８ｍｍ程度に設定されることが好ましく、たとえば７．５ｍｍに設定されうる。したがって、口部１３０の厚みｔが７．５ｍｍである場合、口部１３０の外形は、１００ｍｍ程度となる。
【００１９】
このように、カップ１００は、底部１１０と、底部１１０の周縁上に配置された中空の胴部１２０と、胴部１２０の開放端に沿って配置された口部１３０と、を有する樹脂製のカップである。カップ１００の高さは、たとえば１１５ｍｍ程度である。
【００２０】
底部１１０、胴部１２０、および口部１３０は、射出成形、ブロー成形、圧力成形など公知の成形技術を使用して一体的に形成されうる。
【００２１】
本実施形態では、カップ１００を香り付き容器とするため、香料を含む溶媒を練り込んだポリプロピレンを材料として、射出成形によりカップ１００を形成する。カップ１００を製造する概略的な流れは、たとえば以下のとおりである。
【００２２】
まず、原料を配合する工程において、樹脂としてのポリプロピレンに、溶媒に溶かした香料、および着色用の材料を配合する。溶媒の主成分としては、たとえばトリアセチン（グリセリン脂肪酸エステル）が使用されうる。
【００２３】
続いて、原料を混合する工程において、専用のミキサーを使用して、原料を均一に混合する。これにより、香料を含む溶媒がポリプロピレンに練り込まれる。
【００２４】
そして、射出成形を実施する工程において、混合された原料を射出成形機にセットし、高温にして溶融させた後、低温の金型に入れて固化させてカップの形状に成形する。
【００２５】
このような工程を経て、カップ全体に香料を含む樹脂製のカップ１００が形成される。
【００２６】
一方、カップ全体に香料を含ませずに、カップの一部に香料が含まれるようにカップ１００を形成してもよい。たとえば、ポリプロピレンを材料として、底部１１０および胴部１２０を形成し、香料を含む溶媒を練り込んだポリプロピレンを材料として、口部１３０を形成してもよい。この場合は、形成された口部１３０のみに香料を含む。
【００２７】
なお、底部１１０、胴部１２０、および口部１３０を形成する材料は、ポリプロピレンに限定されず、ポリスチレン、ＡＢＳ、ナイロン６６、シリコーン樹脂などの樹脂を使用してもよい。
【００２８】
また、カップ１００の表面を多孔質化し、カップ１００の実質的な表面積を大きくすることにより、香料の香り成分の揮散を高めるようにしてもよい。
【００２９】
香料は、国が指定した「指定添加物」のうち、「エステル類」等の一括名称で指定した１８類の分類に該当すると判断されるもの（いわゆる「１８香料リスト」）、または「天然香料」から選択されうる。
【００３０】
より具体的には、エチルマルトール、マルトール、ケイ皮酸メチル、ベンジルアルコール、４−ヒドロキシ−２，５−ジメチル−３（２Ｈ）−フラノン（フラネオール）、ベンズアルデヒド、ｔｒａｎｓ−２−ヘキセン−１−オール、β−ダマスコン、アセト酢酸エチル、酢酸ヘキシル（Ｈｅｘｙｌ  ａｃｅｔａｔｅ）、酢酸  ｃｉｓ−３−ヘキセニル（ｃｉｓ−３−ｈｅｘｅｎｙｌ  ａｃｅｔａｔｅ）、酪酸エチル、エチル  ２−メチルブチレート、イソ吉草酸エチル、へキサン酸エチル（別名  カプロン酸エチル）、メチル  ジヒドロジャスモ  ネート、メチル  ベンゾエート、γ−デカラクトン、２−ヘキサノール、ｃｉｓ−３−ヘキセノールが使用されうる。
【００３１】
とくに、食品の香り、とりわけ甘い香り成分を含む香料が使用されうる。たとえば「イチゴフレーバー」、「リンゴフレーバー」、「オレンジフレーバー」、「コーラフレーバー」、「チョコレートフレーバー」の香料などが好適に使用されうる。
【００３２】
このように、本実施形態では、カップ１００の底部１１０、胴部１２０、および口部１３０の全体または口部１３０に香料を含むので、普通の水を飲んだ人の脳の嗅覚野は、カップ１００から放出される香りを感知する。したがって、カップ１００から放出される香りが甘い香りである場合、カップ１００の中の飲み物が普通の水であったとしても、カップ１００の水を飲んだ人は、あたかも甘いジュースを飲んだように錯覚する。
【００３３】
なお、上述の例では、香料を含む溶媒を練り込んだポリプロピレンを材料として、カップ１００を形成する場合について説明したが、溶媒の代わりにオイルを使用することもできる。つまり、香料を含むオイルを練り込んだポリプロピレンを材料として、カップ１００を形成することもできる。
【００３４】
さらに、成形された底部１１０、胴部１２０、および口部１３０の全体または口部１３０に、香料を含む溶媒を浸み込ませるようにしてもよい。この場合、カップ１００の底部１１０、胴部１２０、および口部１３０の全体または口部１３０に、香料を含む溶媒が含浸されるので、カップ１００から香料の香り成分が放出されるようになる。
【００３５】
以上で説明した本実施形態のカップ１００は、下記の効果を奏する。
【００３６】
カップ１００の底部１１０、胴部１２０、および口部１３０の全体または口部１３０に、香料を含むオイルが含浸されているので、使用者が香料を含んだ材料をカップに着脱する必要がない。また、糖尿病の患者など糖質の摂取を制限する必要のある人や、ダイエットをしている人などがカップ１００を使用して水を飲むことにより、糖質の摂取を控えつつ、甘いジュースを飲んだときに匹敵する満足感を得ることができる。
【００３７】
（変形例）
図４は、本実施形態に係る樹脂製カップの一変形例を示す断面図である。図４に示すように、本変形例の樹脂製カップ２００は、底部２１０、胴部２２０、口部２３０、および外部容器２４０を有する。
【００３８】
胴部２２０は、上部２２１および下部２２２を有し、上部２２１の内径が下部２２２の内径よりも大きくなるように形成されている。
【００３９】
外部容器２４０は、胴部２２０の下部２２２と底部２１０とを収容する。外部容器２４０は、接合部２５０Ａ，２５０Ｂにおいて、嵌合または接着により胴部２２０と接合されている。
【００４０】
底部２１０および下部２２２が外部容器２４０に収容された状態では、底部２１０および下部２２２と外部容器２４０との間に空気の断熱層が形成される。したがって、底部２１０および下部２２２と外部容器２４０との間の断熱層により、樹脂製カップ２００の中の飲み物を効果的に保温または保冷できる。
【００４１】
外部容器２４０は、たとえばシリコーン樹脂などの樹脂を使用して形成されうる。シリコーン樹脂としては、柔軟性を有し、耐久性や耐熱性を備え、食器用または調理器具用として使用されているシリコーン樹脂を制限なく採用することができる。シリコーン樹脂は、透明であってもよいし、着色により不透明であってもよい。なお、シリコーン樹脂の代わりに、ポリスチレン、ＡＢＳ、ナイロン６６を使用してもよい。
【００４２】
本考案は、上述した実施の形態に限定されるものではなく、実用新案登録請求の範囲で種々改変することができる。
【００４３】
たとえば、上述の実施形態では、横断面が円形のカップについて説明したが、カップの横断面の形状は特に限定されず、楕円状、三角形状、矩形状などであってもよい。
【００４４】
また、上述の実施形態では、樹脂製容器が飲料用のカップである場合について説明したが、樹脂製容器は飲料用のカップに限定されず、食物を入れるポット、鉢、深皿などであってもよい。
【００４５】
また、上述の実施形態では、カップの底部、胴部、および口部を一体的に形成することについて説明したが、カップの底部、胴部、および口部を別体で形成した後、互いに結合してもよい。たとえば、カップの口部だけ、他の底部および胴部とは別に形成した後、口部を胴部と結合するように構成してもよい。
【符号の説明】
【００４６】
１００，２００  樹脂製容器、
１１０，２１０  底部、
１２０，２２０  胴部、
１３０，２３０  口部。
【図１】
0003213330.tif 000003
【図２】
0003213330.tif 000004
【図３】
0003213330.tif 000005
【図４】
0003213330.tif 000006